【事件の表示】
　平成６年特許願第９５６４５号「表示制御装置」拒絶査定不服審判事件〔平成７年８月１８日出願公開、特開平７−２１９５０８号〕について、次のとおり審決する。
【結　論】
　本件審判の請求は、成り立たない。
【理　由】
第１　手続の経緯
　本件は、平成５年１２月７日にされた特許出願（平成５年特許願第３３９９６４号）による優先権を主張して平成６年４月７日に株式会社日立製作所によりされた特許出願（平成６年特許願第９５６４５号。以下「本件出願」という。）につき、拒絶査定が平成１４年８月２６日付けでされ、同年９月３日に発送されたところ、この拒絶査定に対する審判が同年１０月２日に請求されたものであり、その後、平成１５年７月２３日に承継人を株式会社ルネサステクノロジとする名義変更届が提出されたものである。
　
第２　本件出願に係る発明
　本件出願の請求項１に係る発明（以下「本願発明」という。）は、平成１２年４月２１日付け手続補正書、平成１３年８月２３日付け手続補正書及び平成１４年８月１日付け手続補正書により補正された明細書及び図面の記載からみて、その特許請求の範囲の請求項１に記載された次のとおりのものである。
「【請求項１】走査電極と信号電極の交差位置にドットマトリクス状に配置された多数の表示素子に、複数画素からなるパターンを表示制御する表示制御装置であって、第１の駆動回路と第２の駆動回路と表示メモリとパターンデータメモリとスクロール量制御回路と画素データ列供給回路とを有し、
　上記第１の駆動回路は走査電極を時分割駆動し、
　上記第２の駆動回路は信号電極を画素データに基づいて駆動し、
　上記表示メモリはコードデータを格納し、
　上記パターンデータメモリは上記表示メモリから読み出したコードデータに基づき画素データを出力し、
　上記スクロール量制御回路は表示装置上でずらして表示すべきパターンのスクロール量を制御するスクロール量データを格納する第１記憶回路と、スクロールすべきスクロール行を指定するスクロール行データを記憶する第２記憶回路とを有し、
　上記画素データ列供給回路は、上記スクロール量データ及びスクロール行データに基づいて画素データを供給するタイミングを制御して上記第２の駆動回路へ画素データを供給し、
　上記画素データ列供給回路は、表示パネルに表示されている表示行信号を受け、上記表示行信号が上記第２記憶回路により指定されたスクロール行に一致するかを検出する行検出回路を有することを特徴とする表示制御装置。」
　
第３　引用刊行物に記載された発明
　原査定の拒絶の理由に引用された刊行物の一部及びその記載事項は、次のとおりである。
　１　特開昭６１−２７７９９１号公報（以下「刊行物１」という。）
　刊行物１には、図面とともに、「産業上の利用分野　本発明は、複数の表示ラインから成る表示画面のスムース・スクロール即ちドツト単位のスクロールに関し、特に、各表示ライン毎にスムース・スクロールを行なうことに関する。」（２頁左上欄２〜６行）、「本発明の目的は、各表示ラインにおける表示画像を、独立して選択的且つ動的にスムース・スクロールさせる方法及びその装置を提供することである。」（２頁右上欄末行〜左下欄３行）、「第１図に、本発明によるスムース・スクロールの方法及び装置の１実施例を示す。この実施例では、スムース・スクロール装置は通常の並列−直列変換手段１０の後に設けられている。そして、それは、オフセツト・レジスタ２２、シフト・レジスタ２４及びマルチプレクサ２６を備えた横方向オフセツト付与手段２０と、各表示行毎のオフセツト値を記憶させておく横方向オフセツト・メモリ３４とで構成されている。図示していないキヤラクタ・ジエネレータ又はイメージ・バツフアから出力された並列ビデオ信号ＰＶＳは、並列−直列変換手段１０により直列ビデオ信号に変換される。この直列ビデオ信号は、シフト・レジスタ２４に与えられ、シフト・レジスタ２４により１ドツト・クロツクずつ遅れた信号として並べられる。横方向オフセツト・メモリ３４には、各表示行毎に何ドツト横方向にずらせるかを決めるオフセツト値が、ソフトウエアにより書込まれて記憶されている。そして、表示の際には、これから表示しようとする表示行の直前の表示行の帰線期間に、そのこれから表示しようとする表示行に対応するオフセツト値が、オフセツト・レジスタ・・・へ移されるように、横方向オフセツト・メモリ２３及びオフセツト・レジスタ２２は制御される。横方向オフセツト・メモリ３４は、その機能上、各表示行の開始アドレスを記憶している表示開始アドレス・メモリ３２などと共に、行情報メモリ３０を構成し得る。マルチプレクサ２６は、オフセツト・レジスタ２２へ移されたオフセツト値を受け取り、このオフセツト値に対応しているドツト単位でシフトされた直列ビデオ信号ＳＶＳを選択して出力する。第２図に、その一例を示す。この例では、Ａ及びＢという文字のそれぞれ６番目の走査ラインの直列ビデオ信号が、マルチプレクサ２６に入力されるオフセツト値０乃至７に対して、どのように並んでいるかを示している。文字Ａ及びＢは、８×１０のドツト・マトリツクスから成るボツクスを用いて表示されている。それぞれ先頭の実線で囲まれたドツト・パターンは、オフセツト０のときの表示位置にある。この表示位置を基にして、オフセツト０のときのボツクスの境界が示してある。以上の構成をなすスムース・スクロール装置を用いて、各表示行毎に横方向に表示画像をドツト単位でずらすスムース・スクロールが、ソフトウエアで容易に実現できる。さらに、表示画面のリフレツシユに同期させて、オフセツト値及び表示開始アドレスを変化させることにより、人の目にはなめらかに横方向に動いているようにみせることができる。第３図に、この一例を示す。この例でも、文字は横８ドツトのボツクスを用いて表示される。今、ｎ番目の表示行について考える。最初、ｎ番目の表示行の表示開始アドレスを１０００、オフセツト���を０とする。この場合、文字Ａのボツクスの境界と表示画面の左端ＤＬとが一致しており、ｎ番目の表示行における表示画像「Ａ、Ｂ・・・・」は、全く横方向にずれていない状態で表示される（第４図の（１）参照）。次に、表示開始アドレスを１０００のままにしてオフセツト値を１にセツトする。このとき、第１図のマルチプレクサ２６では１の接続ラインが選択される。この接続ラインのビデオ信号は、オフセツト値０の場合に比べて、１ドツト・クロツク進んでおり、表示画面上では、第４図の（２）にも示すように、表示画像は、１ドツト左へずれることになる。以下、オフセツト値を１つずつ増やしていき、それが７になつたら、次に、表示開始アドレスを１００１とし、オフセツト値を０とする。表示画面は、第４図の（９）のようになり、１文字分左へスムース・スクロールしたことになる。オフセツトの値を変化させるタイミングは、人間の目による感じ方及びデータの量に応じて、適宜ソフトウエアで制御される。」（２頁右下欄末行〜３頁右下欄１５行）、「発明の効果　１表示行のスムース・スクロールについて説明したが、各表示行についてソフトウエアで制御することにより、使用目的に応じて自由な画面構成で横方向スムース・スクロールを実現できる。また、オフセツト・メモリ及びオフセツト・レジスタを増すことによつて、表示画面を複数の表示区域で構成する場合にも、各表示ラインについて各表示区域で独立にスムース・スクロールを行なうことができる。このように、本発明により、容易に各表示ラインにおける表示画像を独立して選択的且つ動的にスムース・スクロールさせることができるようになつた。それ故に、各表示ライン毎にスムース・スクロールの有無及びその速度等を制御した複雑且つ多様な画像表示を実現することができる。」（３頁右下欄１６行〜４頁左上欄１１行）等の記載がされている。
　２　特開昭６０−７４７６号公報（以下「刊行物２」という。）
　刊行物２には、図面とともに「本発明はディスプレイ装置等の画面スクロール・・・機能を備えた表示装置に於ける画面スクロール制御方式に係り、特に横方向の画面スクロールを高速で実施し得る画面スクロール方式に関する。」（１頁右下欄１〜６行）、「本発明は表示桁指定レジスタを設け、該レジスタに横方向のスクロールを行う行のスクロールする変位量を記憶させ、又先頭アドレスレジスタを設け前記スクロールを行う行と行わぬ行とを指定させ、表示開始アドレスを前記表示桁指定レジスタと先頭アドレスレジスタとの内容により決定することで任意の行を任意の変位量だけスクロールさせるものである。第１図は表示テーブルレジスタとメモリ及びメモリの内容を表示している表示部の関係を説明する図である。表示テーブルレジスタはメモリの１行目表示データの先頭アドレスを１行表示先頭アドレスとし、２行目表示データのアドレスを２行表示先頭アドレスとし、３行目表示データを３行表示先頭アドレスとして、以下順次ｎ行迄記憶している。又更に各行の表示先頭アドレスの前に各行をスクロールするか否かを指示するスクロール有効ビットを記憶する。即ち例えば“１”ならばスクロールするし“０”ならばスクロールしない。メモリから表示テーブルレジスタの前記アドレスにより指示されたデータは表示部に表示される。即ちメモリの１行目表示データは、例えばａ、ｂ、ｃ〜ｍとすれば、表示部の１行目に図示した如く表示され、２行目表示データは２行目にという順でｎ行目迄表示される。表示部の表示をスクロールする場合、図示しないキーボード等を用いて前記の如く表示桁指定レジスタにスクロールする行の変位量、例えばｉ行（当審注　「桁」の誤記と認める。）スクロールしたい場合ｉを格納し、さらに先頭アドレスレジスタにスクロールする行、例えば１行目、２行目及びｎ行目をキーボード等を用いて指示して格納し、スクロールを指示する。そして表示テーブルレジスタの前記スクロール有効ビットは前記先頭アドレスレジスタに指示された行のみ“１”に設定される。そして表示部の表示は表示テーブルレジスタのスクロール有効ビットが“１”である行、即ち本例においては１、２、ｎの各行が表示部のｉで示す範囲、即ち前記表示桁指定レジスタの指示する変位量を移動する。例えばｉが２桁であれば図示する１行目はａ、ｂの２文字がスクロールされ、１行目の先頭はｃが表示される。第２図は本発明の一実施例を示す回路のブロック図である。表示制御部５はマイクロプロセッサ８制御により表示開始アドレスレジスタ７の指示するアドレスでメモリ４のデータを読出し、表示部６に表示する。ここでスクロールを行う場合、表示桁指定レジスタ１に前記の如く表示部６のスクロールする変位量を例えばキーボード等により入力して指示する。又先頭アドレスレジスタ２にはスクロールすべき行を前記同様に指示する。表示桁指定レジスタ１と先頭アドレスレジスタ２からマイクロプロセッサ８の制御により、前記の如き表示部６のスクロールすべき行と変位量とが読出され、表示テーブルレジスタ３の各行の表示先頭アドレスの前のビットはスクロールする行のビットのみ“１”に設定される。さらにマイクロプロセッサ８は表示開始アドレスレジスタ７に表示桁指定レジスタ１の指示する変位量ｉだけ表示テーブルレジスタ３の表示先頭アドレスに加算して変位量ｉだけ移動した場合の各行の先頭アドレスを格納する。そして表示開始アドレスレジスタ７に格納された各行の先頭アドレスにより、メモリ４をアクセスしてスクロールされた表示データを読出す。これが表示制御部５へ送出され、表示部６に変位量ｉだけスクロールされたデータが表示される。この場合表示テーブルレジスタ３のスクロール有効ビットが“０”に設定されているものはスクロール動作を行わない。」（２頁右上欄１行〜３頁左上欄９行）、「発明の効果　以上説明した如く、本発明は表示桁指定レジスタのスクロール変位量を指定することで任意の変位量スクロールさせることが出来る為、表示テーブルレジスタの内容を書き替える必要が無く、スクロール速度が向上する。又スクロールさせない行がある場合、先頭アドレスレジスタにその行を指示するのみで良く、部分スクロールを実施することが可能である。」（３頁左上欄１０〜１８行）等の記載がされている。
　
第４　当審の判断
　本願発明と刊行物１に記載された発明とを対比する。
　刊行物１に記載されたスムース・スクロール装置は、表示の制御を行っている点で、本願発明の「表示制御装置」に相当する。刊行物１に記載されたキャラクタ・ジェネレータは、本願発明の「パターンデータメモリ」に相当する。刊行物１には本願発明の「表示メモリ」に相当するものについて明確な記載がないが、刊行物１に記載された発明は、キャラクタ・ジェネレータを有し、文字表示を行っていることから、本願発明の「表示メモリ」に相当するものを有しているということができる。刊行物１に記載された横方向オフセットメモリ３４に記憶されている「オフセット値」は本願発明の「スクロール量データ」と「スクロール行データ」との双方に相当し、刊行物１に記載された横方向オフセットメモリ３４は、このオフセット値を記憶する点で、本願発明の「スクロール量制御回路」に相当する。また、刊行物１に記載された横方向オフセット付与手段２０は、オフセット値に基づいて直列ビデオ信号ＳＶＳを供給するタイミングを制御して直列ビデオ信号を供給する点で、本願発明の「画素データ列供給回路」に相当する。
　そうすると、本願発明と刊行物１に記載された発明とは、「複数画素からなるパターンを表示制御する表示制御装置」であって、「表示メモリ」と「パターンデータメモリ」と「スクロール量制御回路」と「画素データ列供給回路」とを有し、「上記表示メモリはコードデータを格納」し、「上記パターンデータメモリは上記表示メモリから読み出したコードデータに基づき画素データを出力」し、「上記スクロール量制御回路は表示装置上でずらして表示すべきパターンのスクロール量を制御するスクロール量データを格納」し、「スクロールすべきスクロール行を指定するスクロール行データを記憶」する「記憶回路」とを有し、「上記画素データ列供給回路は、上記スクロール量データ及びスクロール行データに基づいて画素データを供給するタイミングを制御」して「画素データを供給」する「表示制御装置」である点で一致し、次の相違点１及び２で相違する。
　相違点１　本願発明は、「走査電極と信号電極の交差位置にドットマトリクス状に配置された多数の表示素子」に表示制御を行うものであって、「第１の駆動回路と第２の駆動回路」を有し、「上記第１の駆動回路は走査電極を時分割駆動」し、「上記第２の駆動回路は信号電極を画素データに基づいて駆動」するものであるところ、刊行物１にはこのような記載がない点。
　相違点２　本願発明は、スクロール量制御回路が「スクロール量を制御するスクロール量データを格納する第１記憶回路」と、「スクロールすべきスクロール行を指定するスクロール行データを記憶する第２記憶回路」とを有し、「表示パネルに表示されている表示行信号を受け、上記表示行信号が上記第２記憶回路により指定されたスクロール行に一致するかを検出する行検出回路」を有するところ、刊行物１にはこのような記載がない点。
　相違点１について検討すると、走査電極と信号電極の交差位置にドットマトリクス状に配置された多数の表示素子を有する表示手段を用い、この表示手段を走査電極を時分割駆動する駆動回路及び信号電極を画素データに基づいて駆動する駆動回路によって駆動することは周知慣用の技術手段であり、刊行物１に記載された発明においてこのような周知慣用の技術手段を採用して相違点１のようにすることは当業者が適宜に行い得ることである。
　相違点２について検討すると、刊行物２にはスクロールする変位量を記憶する表示桁指定レジスタ１、スクロール有効ビットを記憶する表示テーブルレジスタ３を有し、各行の表示をするとき、表示をする行が表示テーブルレジスタ３でスクロール有効ビット「１」として指定された行であるか否かを検出して表示を行うことが示されているところであり、刊行物２にはこのような検出を行うために専用の回路を用いることは示されていないが、特定の機能、処理を実現するために専用の回路を用いることは周知慣用の技術手段であって任意に採用し得ることにすぎない。そうすると、刊行物１に記載された発明において刊行物２に記載された発明、周知慣用の技術手段を適用して相違点２のようにすることは当業者が適宜に行い得ることである。
　本願発明の作用効果についてみても、刊行物１及び２に記載された発明並びに周知慣用の技術手段から予測される範囲内のものであり、格別のものではない。
　なお、請求人は、刊行物１及び２に記載された発明では、表示パネルに表示されている行についてスクロールするか否かの指示をしていないと主張する。
　しかしながら、刊行物１に記載された発明では表示する行のオフセット値が「１」以上か「０」であるかによってスクロールするか否かの指示をしており、刊行物２に記載された発明でも表示する行のスクロール有効ビットが「１」か「０」かによってスクロールするか否かの指示をしているのであり、請求人の主張は、根拠がない。
　請求人は、本願発明では、表示パネルに表示されていない行についてはスクロールするか否かの検出を行う必要がないという効果を奏し、さらに、表示パネルに表示されていない行についてスクロールするという動作を行うことがないという効果も奏するものであり、本願発明は容易に想到し得たものでないとも主張する。
　しかしながら、本件出願の請求項１には、「表示パネルに表示されていない行」か否かによって「スクロールするか否かの検出を行う必要」、「スクロールするという動作を行うこと」を判断するとの記載はなく、請求人の主張は本件出願の請求項１の記載に基づくものではなく、根拠がない。
　したがって、本願発明は、当業者が刊行物１及び２に記載された発明並びに周知慣用の技術手段に基いて容易に発明をすることができたものである。
　
第５　まとめ
　以上のとおりであるから、本件出願の請求項１に係る発明は特許法２９条２項の規定により特許を受けることができないものであり、その余の請求項に係る発明について言及するまでもなく、本件出願は、拒絶をすべきものである。
　よって、結論のとおり審決する。